(57)【要約】  本発明によれば、参照用画像を取得する取得部（１２）と、施設内に設置された複数の提供画像生成用カメラにより生成された提供用画像を記憶する記憶部（１１）から、参照用画像に含まれている人を含む提供用画像を抽出する抽出部（１３）と、抽出部（１３）により抽出された提供用画像をディスプレイに表示させる表示制御部（１４）と、を有する情報処理装置（１０）が提供される。
2018235318.tif 000002
【特許請求の範囲】
【請求項１】
参照用画像を取得する取得手段と、
施設内に設置された複数の提供画像生成用カメラにより生成された提供用画像を記憶する記憶手段から、前記参照用画像に含まれている人を含む前記提供用画像を抽出する抽出手段と、
前記抽出手段により抽出された前記提供用画像をディスプレイに表示させる表示制御手段と、
を有する情報処理装置。
【請求項２】
請求項１に記載の情報処理装置において、
前記抽出手段は、前記参照用画像に複数の人が含まれる場合、前記複数の人のうち少なくとも２人を含む前記提供用画像を抽出する情報処理装置。
【請求項３】
請求項２に記載の情報処理装置において、
前記抽出手段は、前記参照用画像に複数の人がそれぞれ所定の大きさ以上で含まれる場合、前記所定の大きさ以上で前記参照用画像に含まれる複数の人のうち少なくとも２人を含む前記提供用画像を抽出する情報処理装置。
【請求項４】
請求項１から３のいずれか１項に記載の情報処理装置において、
前記取得手段は、前記ディスプレイの周辺を撮影する参照画像生成用カメラにより生成された画像を、前記参照用画像として取得する情報処理装置。
【請求項５】
請求項４に記載の情報処理装置において、
前記表示制御手段は、
所定条件を満たさない間、前記参照画像生成用カメラで撮影された画像を前記ディスプレイに表示させるか、又は、前記ディスプレイを含む表示装置を鏡として機能させ、
前記所定条件を満たすと、前記抽出手段により抽出された前記提供用画像を前記ディスプレイに表示させる情報処理装置。
【請求項６】
請求項１から５のいずれか１項に記載の情報処理装置において、
前記記憶手段は、前記提供用画像を撮影日時及び撮影位置と対応付けて記憶し、
前記抽出手段は、
前記提供用画像に含まれる特定の人についての前記施設内における位置情報と前記位置情報に対応する時間情報とを取得し、
撮影日時及び撮影位置が前記位置情報及び前記時間情報との関係において所定の条件を満たさない場合、前記提供用画像を、前記特定の人が含まれている画像として抽出する対象から除外する情報処理装置。
【請求項７】
請求項６に記載の情報処理装置において、
前記抽出手段は、前記参照用画像に含まれている前記特定の人との類似度が所定の値以上である人を含む前記提供用画像の撮影日時及び撮影位置を、当該特定の人についての前記位置情報及び前記時間情報として取得する情報処理装置。
【請求項８】
請求項１から７のいずれか１項に記載の情報処理装置において、
前記記憶手段は、
複数の前記提供画像生成用カメラ各々の周辺に設置され、位置関係が所定条件を満たす１つ又は複数の電子タグ又は携帯端末から識別情報を取得する無線通信装置により取得された１つ又は複数の前記識別情報を、前記識別情報が取得された日時から所定時間内に生成された前記提供用画像と対応付けて記憶し、
前記取得手段は、
前記ディスプレイの周辺を撮影する参照画像生成用カメラにより生成された画像を前記参照用画像として取得するとともに、
前記参照画像生成用カメラの周辺に設置され、位置関係が所定条件を満たす１つ又は複数の前記電子タグ又は携帯端末から前記識別情報を取得する無線通信装置により取得された１つ又は複数の前記識別情報を取得し、
前記抽出手段は、
前記参照用画像に含まれている人を含むとともに、前記取得手段により取得された前記識別情報に対応付けられている前記提供用画像を抽出する情報処理装置。
【請求項９】
請求項８に記載の情報処理装置において、
前記抽出手段は、
前記参照用画像の中にＭ人（Ｍは１以上）の人が含まれ、かつ、前記取得手段によりＮ（Ｎは１以上）個の前記識別情報が取得された場合、前記Ｍ人の中の少なくとも１人を含み、かつ、前記Ｎ個の前記識別情報の中の少なくとも１つに対応付けられている前記提供用画像を抽出する情報処理装置。
【請求項１０】
請求項９に記載の情報処理装置において、
前記抽出手段は、
前記参照用画像に複数の人が所定の大きさ以上で含まれ、かつ、前記取得手段によりＮ（Ｎは１以上）個の前記識別情報が取得された場合、前記参照用画像に前記所定の大きさ以上で含まれる複数の人すべてを含み、かつ、前記Ｎ個の前記識別情報の中の少なくとも１つに対応付けられている前記提供用画像を抽出する情報処理装置。
【請求項１１】
第１のカメラにより生成された第１の画像を、前記第１のカメラの周辺に設置され、位置関係が所定条件を満たす１つ又は複数の電子タグ又は携帯端末から識別情報を取得する無線通信装置により取得された１つ又は複数の前記識別情報に対応付けて取得する取得手段と、
複数の第２のカメラにより生成された第２の画像を、複数の前記第２のカメラ各々の周辺に設置され、位置関係が所定条件を満たす１つ又は複数の前記電子タグ又は携帯端末から前記識別情報を取得する無線通信装置により取得された１つ又は複数の前記識別情報に対応付けて記憶する記憶手段から、前記第１の画像に含まれている人を含むとともに、前記取得手段により取得された前記識別情報を対応付けられている前記第２の画像を抽出する抽出手段と、
を有する情報処理装置。
【請求項１２】
請求項１１に記載の情報処理装置において、
前記抽出手段は、
前記第１の画像の中にＭ人（Ｍは１以上）の人が含まれ、かつ、前記取得手段によりＮ（Ｎは１以上）個の前記識別情報が取得された場合、前記Ｍ人の中の少なくとも１人を含み、かつ、前記Ｎ個の前記識別情報の中の少なくとも１つに対応付けられている前記第２の画像を抽出する情報処理装置。
【請求項１３】
請求項１２に記載の情報処理装置において、
前記抽出手段は、
前記第１の画像の中に複数の人が所定の大きさ以上で含まれ、かつ、前記取得手段によりＮ（Ｎは１以上）個の前記識別情報が取得された場合、前記第１の画像に前記所定の大きさ以上で含まれる複数の人すべてを含み、かつ、前記Ｎ個の前記識別情報の中の少なくとも１つに対応付けられている前記第２の画像を抽出する情報処理装置。
【請求項１４】
コンピュータが、
参照用画像を取得する取得工程と、
施設内に設置された複数の提供画像生成用カメラにより生成された提供用画像を記憶する記憶手段から、前記参照用画像に含まれている人を含む前記提供用画像を抽出する抽出工程と、
前記抽出工程で抽出された前記提供用画像をディスプレイに表示させる表示制御工程と、
を実行する情報処理方法。
【請求項１５】
コンピュータを、
参照用画像を取得する取得手段、
施設内に設置された複数の提供画像生成用カメラにより生成された提供用画像を記憶する記憶手段から、前記参照用画像に含まれている人を含む前記提供用画像を抽出する抽出手段、
前記抽出手段により抽出された前記提供用画像をディスプレイに表示させる表示制御手段、
として機能させるプログラム。
【請求項１６】
コンピュータが、
第１のカメラにより生成された第１の画像を、前記第１のカメラの周辺に設置され、位置関係が所定条件を満たす１つ又は複数の電子タグ又は携帯端末から識別情報を取得する無線通信装置により取得された１つ又は複数の前記識別情報に対応付けて取得する取得工程と、
複数の第２のカメラにより生成された第２の画像を、複数の前記第２のカメラ各々の周辺に設置され、位置関係が所定条件を満たす１つ又は複数の前記電子タグ又は携帯端末から前記識別情報を取得する無線通信装置により取得された１つ又は複数の前記識別情報に対応付けて記憶する記憶手段から、前記第１の画像に含まれている人を含むとともに、前記取得工程で取得された前記識別情報を対応付けられている前記第２の画像を抽出する抽出工程と、
を実行する情報処理方法。
【請求項１７】
コンピュータを、
第１のカメラにより生成された第１の画像を、前記第１のカメラの周辺に設置され、位置関係が所定条件を満たす１つ又は複数の電子タグ又は携帯端末から識別情報を取得する無線通信装置により取得された１つ又は複数の前記識別情報に対応付けて取得する取得手段、
複数の第２のカメラにより生成された第２の画像を、複数の前記第２のカメラ各々の周辺に設置され、位置関係が所定条件を満たす１つ又は複数の前記電子タグ又は携帯端末から前記識別情報を取得する無線通信装置により取得された１つ又は複数の前記識別情報に対応付けて記憶する記憶手段から、前記第１の画像に含まれている人を含むとともに、前記取得手段により取得された前記識別情報を対応付けられている前記第２の画像を抽出する抽出手段、
として機能させるプログラム。
【発明の詳細な説明】
【技術分野】
【０００１】
本発明は、情報処理装置、情報処理方法及びプログラムに関する。
【背景技術】
【０００２】
特許文献１には、撮像部と、撮像部で撮像されて得られた撮像画像を保存する画像保存部と、撮像部で撮像されて得られた撮像画像から対象物を選択する対象物選択部と、保存されている撮像画像から、上記選択された対象物に応じた撮像画像を抽出する画像抽出部とを備えるカメラが開示されている。【０００３】
特許文献２には、披露宴等で撮影したスナップ写真の配布を容易に行うための配布用写真作成装置技術が開示されている。当該配布用写真作成装置は、来場者の顔を撮影し、来場者データベースを生成する手段と、来場者に撮影してもらった撮影画像を収集する手段と、来場者データベースと撮影画像の顔領域とを照合し、来場者データベースに含まれる人毎に各々が含まれる上記撮影画像を対応付ける手段と、来場者データベースに含まれる人毎に対応付けられている撮影画像を記録媒体に記録する手段とを有する。
【先行技術文献】
【特許文献】
【０００４】
【特許文献１】特開２０１４−５３７４９号公報
【特許文献２】特開２００９−１０５７６号公報
【発明の概要】
【発明が解決しようとする課題】
【０００５】
テーマパーク等の施設において、施設内に設置された複数のカメラで来場者を撮影し、撮影した画像を来場者に提供するサービスが提供される。【０００６】
例えば、施設側は、撮影した画像を来場者が閲覧できる状態にする。そして、来場者は、閲覧可能な画像の中から所望の画像（例：自身や家族が含まれるもの）を見つけ出し、購入等の手続きを行う。かかるサービスにおいて、次のような課題がある。【０００７】
複数のカメラで多くの画像を撮影するほど、来場者が購入を希望する画像を提供できる確率が高くなる。一方で、撮影された画像の数が多いほど、その中から所望の画像を見つけ出す来場者の労力が大きくなる。【０００８】
本発明は、施設内に設置された複数のカメラで生成された画像の中から、各来場者に適した画像を抽出し、提示できるようにすることを課題とする。
【課題を解決するための手段】
【０００９】
本発明によれば、
参照用画像を取得する取得手段と、
施設内に設置された複数の提供画像生成用カメラにより生成された提供用画像を記憶する記憶手段から、前記参照用画像に含まれている人を含む前記提供用画像を抽出する抽出手段と、
前記抽出手段により抽出された前記提供用画像をディスプレイに表示させる表示制御手段と、
を有する情報処理装置が提供される。【００１０】
また、本発明によれば、
第１のカメラにより生成された第１の画像を、前記第１のカメラの周辺に設置され、位置関係が所定条件を満たす１つ又は複数の電子タグ又は携帯端末から識別情報を取得する無線通信装置により取得された１つ又は複数の前記識別情報に対応付けて取得する取得手段と、
複数の第２のカメラにより生成された第２の画像を、複数の前記第２のカメラ各々の周辺に設置され、位置関係が所定条件を満たす１つ又は複数の前記電子タグ又は携帯端末から前記識別情報を取得する無線通信装置により取得された１つ又は複数の前記識別情報に対応付けて記憶する記憶手段から、前記第１の画像に含まれている人を含むとともに、前記取得手段により取得された前記識別情報を対応付けられている前記第２の画像を抽出する抽出手段と、
を有する情報処理装置が提供される。【００１１】
また、本発明によれば、
コンピュータが、
参照用画像を取得する取得工程と、
施設内に設置された複数の提供画像生成用カメラにより生成された提供用画像を記憶する記憶手段から、前記参照用画像に含まれている人を含む前記提供用画像を抽出する抽出工程と、
前記抽出工程で抽出された前記提供用画像をディスプレイに表示させる表示制御工程と、
を実行する情報処理方法が提供される。【００１２】
また、本発明によれば、
コンピュータを、
参照用画像を取得する取得手段、
施設内に設置された複数の提供画像生成用カメラにより生成された提供用画像を記憶する記憶手段から、前記参照用画像に含まれている人を含む前記提供用画像を抽出する抽出手段、
前記抽出手段により抽出された前記提供用画像をディスプレイに表示させる表示制御手段、
として機能させるプログラムが提供される。【００１３】
また、本発明によれば、
コンピュータが、
第１のカメラにより生成された第１の画像を、前記第１のカメラの周辺に設置され、位置関係が所定条件を満たす１つ又は複数の電子タグ又は携帯端末から識別情報を取得する無線通信装置により取得された１つ又は複数の前記識別情報に対応付けて取得する取得工程と、
複数の第２のカメラにより生成された第２の画像を、複数の前記第２のカメラ各々の周辺に設置され、位置関係が所定条件を満たす１つ又は複数の前記電子タグ又は携帯端末から前記識別情報を取得する無線通信装置により取得された１つ又は複数の前記識別情報に対応付けて記憶する記憶手段から、前記第１の画像に含まれている人を含むとともに、前記取得工程で取得された前記識別情報を対応付けられている前記第２の画像を抽出する抽出工程と、
を実行する情報処理方法が提供される。【００１４】
また、本発明によれば、
コンピュータを、
第１のカメラにより生成された第１の画像を、前記第１のカメラの周辺に設置され、位置関係が所定条件を満たす１つ又は複数の電子タグ又は携帯端末から識別情報を取得する無線通信装置により取得された１つ又は複数の前記識別情報に対応付けて取得する取得手段、
複数の第２のカメラにより生成された第２の画像を、複数の前記第２のカメラ各々の周辺に設置され、位置関係が所定条件を満たす１つ又は複数の前記電子タグ又は携帯端末から前記識別情報を取得する無線通信装置により取得された１つ又は複数の前記識別情報に対応付けて記憶する記憶手段から、前記第１の画像に含まれている人を含むとともに、前記取得手段により取得された前記識別情報を対応付けられている前記第２の画像を抽出する抽出手段、
として機能させるプログラムが提供される。
【発明の効果】
【００１５】
本発明によれば、施設内に設置された複数のカメラで生成された画像データの中から、各来場者に適した画像データを抽出し、提示できるようになる。
【図面の簡単な説明】
【００１６】
上述した目的、およびその他の目的、特徴および利点は、以下に述べる好適な実施の形態、およびそれに付随する以下の図面によってさらに明らかになる。【００１７】
【図１】本実施形態の情報処理装置のハードウエア構成の一例を示す図である。
【図２】本実施形態の情報処理装置の機能ブロック図の一例である。
【図３】本実施形態の情報処理装置の処理の流れの一例を示すフロー図である。
【図４】本実施形態の表示装置の外観の一例を模式的に示す図である。
【図５】本実施形態の情報処理装置により生成されるデータの一例を模式的に示す図である。
【図６】本実施形態の情報処理装置の機能ブロック図の一例である。
【図７】本実施形態の情報処理装置の機能ブロック図の一例である。
【図８】本実施形態の情報処理装置の処理の流れの一例を示すフロー図である。
【発明を実施するための形態】
【００１８】
＜第１の実施形態＞
まず、本実施形態の情報処理システムの全体像を説明する。本実施形態の情報処理システムは、テーマパーク、客船等の多数の人が集まる娯楽施設で利用される。
【００１９】
情報処理システムは、複数の提供画像生成用カメラと、記憶手段と、１つ又は複数の閲覧用操作端末と、情報処理装置とを有する。
【００２０】
提供画像生成用カメラは、施設内で楽しんでいる来場者を撮影するためのカメラである。複数の提供画像生成用カメラは、施設内の異なる位置に設置され、施設内に点在する。
【００２１】
記憶手段は、複数の提供画像生成用カメラにより生成された複数の提供用画像を記憶する。
【００２２】
閲覧用操作端末は、施設内で撮影された画像（提供画像生成用カメラで撮影された画像）の閲覧を希望する来場者により操作される端末である。施設内の任意の位置に、１つ又は複数の閲覧用操作端末が設置される。閲覧用操作端末は、参照画像生成用カメラと、ディスプレイと、ユーザ入力を受付ける入力装置（例：タッチパネルディスプレイ、物理ボタン、マイク等）とを有する。
【００２３】
参照画像生成用カメラは、閲覧用操作端末の周辺（閲覧用操作端末を操作する人を撮影可能な場所）に位置し、閲覧用操作端末を操作する人を撮影する。参照画像生成用カメラは、例えば上記ディスプレイの周辺（閲覧用操作端末を操作する人がいる場所）を撮影する。ディスプレイは、施設内で撮影された画像を表示する。入力装置は、来場者から各種入力を受付ける。
【００２４】
情報処理装置は、取得手段と、抽出手段と、表示制御手段とを有する。取得手段は、参照画像生成用カメラにより生成された参照用画像を取得する。抽出手段は、参照用画像に含まれている人を含む提供用画像を記憶手段から抽出する。表示制御手段は、抽出手段により抽出された提供用画像を閲覧用操作端末のディスプレイに表示させる。
【００２５】
なお、情報処理装置の制御に基づき所定の提供用画像を用いて画像をディスプレイに表示した後、閲覧用操作端末は、表示された画像の中から１つ又は複数を購入対象として選択する操作や、画像を受け取るための操作（例：その場でプリントアウト、電子データを所定のメールアドレス宛に送信等の指定）や、支払操作（例：現金の入力、カード決済等）等を受付ける。
【００２６】
このような情報処理システムによれば、施設内に設置された複数のカメラで生成された膨大な画像の中から、各来場者に適した画像（画像解析により、各来場者を含むと判断された画像）を抽出し、提示できるようになる。
【００２７】
なお、本実施形態の情報処理システムが備える提供画像生成用カメラ及び閲覧用操作端末は、従来技術に準じて実現できる。以下、情報処理装置の構成を詳細に説明する。
【００２８】
まず、情報処理装置のハードウエア構成の一例について説明する。本実施形態の情報処理装置が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２９】
図１は、本実施形態の情報処理装置のハードウエア構成を例示するブロック図である。図１に示すように、情報処理装置は、プロセッサ１Ａ、メモリ２Ａ、入出力インターフェイス３Ａ、周辺回路４Ａ、バス５Ａを有する。周辺回路４Ａには、様々なモジュールが含まれる。なお、情報処理装置は物理的及び／又は論理的に分かれた複数の装置で構成されてもよい。この場合、複数の装置各々が、プロセッサ１Ａ、メモリ２Ａ、入出力インターフェイス３Ａ、周辺回路４Ａ、バス５Ａを有してもよい。
【００３０】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵやＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク、物理キー、タッチパネルディスプレイ、コードリーダ等）、外部装置、外部サーバ、外部センサ等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００３１】
次に、情報処理装置の機能構成を説明する。図２及び図６に情報処理装置１０の機能ブロック図の一例を示す。図２に示すように、情報処理装置１０は、記憶部１１と、取得部１２と、抽出部１３と、表示制御部１４とを有する。なお、図６に示すように、情報処理装置１０は記憶部１１を有さない構成であってもよい。この場合、外部装置が記憶部１１を有し、情報処理装置１０から記憶部１１にアクセス可能に構成される。
【００３２】
記憶部１１は、施設内に設置された複数の提供画像生成用カメラにより生成された提供用画像データ（提供用画像）を記憶する。記憶部１１は、提供用画像データを撮影日時（日時）及び撮影位置（例：施設内のアトラクション、緯度経度等）と対応付けて記憶してもよい。
【００３３】
なお、図示しないが、情報処理装置１０は、画像データに対して画像解析を行う画像解析手段を有する。画像解析手段は、提供用画像データに対して画像解析を行うことで人を検出し、検出された人を含む領域の画像から特徴量を抽出する。画像解析手段は、人の特定の部位、例えば人の顔を検出し、検出された顔を含む領域の画像データから特徴量を抽出しても良い。なお、本明細書では、画像解析により人が検出される画像（又は画像データ）を、人を含む画像（又は画像データ）と表現する場合がある。記憶部１１は、各提供用画像データに対応付けて、各提供用画像データから抽出された特徴量を記憶してもよい。
【００３４】
取得部１２は、参照画像生成用カメラにより生成された参照用画像データ（参照用画像）を取得する。
【００３５】
抽出部１３は、記憶部１１から、参照用画像データに含まれている人を含む提供用画像データを抽出する。
【００３６】
例えば、上述した画像解析手段は、参照用画像データに対して画像解析を行い、画像に含まれる人を検出し、検出された人を含む領域の画像から特徴量を抽出する。そして、抽出部１３は、参照用画像データから抽出された特徴量を、記憶部１１に記憶されている提供用画像データから抽出された特徴量と照合し、類似度が所定以上である特徴量を対応付けられている提供用画像データを抽出する。
【００３７】
表示制御部１４は、抽出部１３により抽出された提供用画像データを用いて、上述した閲覧用操作端末のディスプレイに提供用画像を表示させる。
【００３８】
次に、本実施形態の情報処理システムの処理の流れの一例を説明する。
【００３９】
複数の提供画像生成用カメラは、撮影及び提供用画像データの生成を繰り返す。生成された提供用画像データは、例えば撮影日時や撮影位置を対応付けて、記憶部１１に記憶される。
【００４０】
画像解析手段は、記憶部１１に記憶された提供用画像データに対して画像解析を行い、画像に含まれる人を検出し、検出された人を含む領域の画像から特徴量を抽出する。記憶部１１は、抽出された特徴量を、抽出された提供用画像データに対応付けて記憶する。
【００４１】
施設内で撮影された写真の閲覧を希望する来場者は、任意の日時で、閲覧用操作端末の設置位置に来る。そして、閲覧用操作端末に対して、自身の顔写真を撮影する操作を行う。当該操作に応じて、閲覧用操作端末の参照画像生成用カメラが撮影し、参照用画像データを生成する。そして、閲覧用操作端末は、生成した参照用画像データを情報処理装置１０に送信する。なお、閲覧用操作端末は、人感センサ等で閲覧用操作端末の前に人がいることを検出してもよい。そして、参照画像生成用カメラは、人の検出に応じて撮影し、参照用画像データを生成してもよい。
【００４２】
その後、図３のフローチャートで示される情報処理装置１０の処理が始まる。
【００４３】
取得部１２は、閲覧用操作端末から送信されてきた参照用画像データを取得する（Ｓ１０）。すると、画像解析手段は、参照用画像データに対して画像解析を行い、画像に含まれる人を検出し、検出された人を含む領域の画像から特徴量を抽出する。そして、抽出部１３は、抽出された特徴量と、提供用画像データから抽出された特徴量とを照合し、参照用画像データに含まれている人を含む提供用画像データを記憶部１１から抽出する（Ｓ１１）。そして、表示制御部１４は、抽出部１３により抽出された提供用画像データを閲覧用操作端末に送信し、ディスプレイに提供用画像を表示させる（Ｓ１２）。
【００４４】
閲覧用操作端末は、提供用画像を表示した後、表示した提供用画像の中から１つ又は複数を購入対象として選択する操作や、提供用画像を受け取るための操作（例：その場でプリントアウト、電子データを所定のメールアドレス宛に送信等の指定）や、支払操作（例：現金の入力、カード決済等）等を受付ける。
【００４５】
次に、変形例を説明する。
【００４６】
「変形例１」
閲覧用操作端末は、撮影場所（例：施設内のアトラクション）や撮影日時（例：２０１７年６月９日１３時〜１５時）等を指定する入力を来場者から受付ける。そして、閲覧用操作端末は、指定内容を示す情報を情報処理装置１０に送信する。抽出部１３は、参照用画像データに含まれている人を含み、かつ、指定された撮影場所や撮影日時で撮影され、生成された提供用画像データを抽出する。例えば、抽出部１３は、参照用画像データに含まれている人の特徴量と記憶部１１に記憶されている提供用画像データ各々に含まれている人の特徴量とを照合し、かつ、来場者により指定された撮影場所や撮影日時等と、記憶部１１に記憶されている提供用画像データ各々の撮影場所や撮影日時とを照合し、上記抽出を行う。その他の構成は、上述の通りである。
【００４７】
「変形例２」
画像解析手段は、提供用画像データに対する画像解析において、施設内で活動しているキャラクターや、施設内に設置されているキャラクターの外観の特徴量に基づき、提供用画像データに含まれるキャラクターを抽出する。キャラクターの外観の特徴量は、予め、画像解析手段がアクセス可能な記憶装置内に記憶されていてもよい。記憶部１１は、各提供用画像データに、抽出されたキャラクターを識別する情報を対応付けて記憶することができる。
【００４８】
閲覧用操作端末は、施設内で活動するキャラクターを指定する入力を来場者から受付ける。そして、閲覧用操作端末は、指定内容を示す情報を情報処理装置１０に送信する。抽出部１３は、参照用画像データに含まれている人、及び、指定されたキャラクターの両方を含む提供用画像データを抽出する。例えば、抽出部１３は、参照用画像データに含まれている人の特徴量と記憶部１１に記憶されている提供用画像データ各々に含まれている人の特徴量とを照合し、かつ、来場者により指定されたキャラクターと、記憶部１１に記憶されている提供用画像データ各々に対応付けられているキャラクターとを照合し、上記抽出を行う。その他の構成は、上述の通りである。
【００４９】
「変形例３」
表示制御部１４は、抽出部１３により複数の提供用画像データが抽出された場合、ディスプレイにおける表示順を制御する。
【００５０】
例えば、表示制御部１４は、「参照用画像データから検出された人が笑顔」である提供用画像データを優先的に表示させてもよい。「優先的に表示」とは、複数の画像を並べて同時にディスプレイに表示する場合は、画面の上の方に表示させることを意味する。また、複数の画像を所定数（１以上）ずつ順番にディスプレイに表示する場合は、より先に表示させることを意味する。
【００５１】
その他、表示制御部１４は、「参照用画像データから検出された人の顔が所定レベルより大きい」提供用画像データを優先的に表示させてもよい。その他、参照用画像データから検出された人の顔が大きい順に高い優先度を付してもよい。
【００５２】
その他、表示制御部１４は、「参照用画像データから検出された人との類似度が所定以上である人を含む」提供用画像データを優先的に表示させてもよい。その他、上記類似度が高い順に高い優先度を付してもよい。
【００５３】
なお、笑顔の判定や、人の顔の大きさの判定は、上述した画像解析手段により行われる。その他の構成は、上述の通りである。
【００５４】
「変形例４」
表示制御部１４は、抽出部１３により抽出された提供用画像データの数が閾値以上である場合、表示に利用する提供用画像データ（閲覧用操作端末に送信する提供用画像データ）の数を閾値未満に絞り込む。そして、情報処理装置１０は、絞り込んだ提供用画像データを閲覧用操作端末に送信し、ディスプレイに表示させる。
【００５５】
例えば、表示制御部１４は、同じ場所（例：同じアトラクション）で撮影されて生成された提供用画像データ、同じ時間帯に撮影されて生成された提供用画像データ、又は、同じ場所（例：同じアトラクション）で同じ時間帯に撮影されて生成された提供用画像データをまとめてグループ化し、各グループから所定数の提供画像データを抽出（例えば、ランダムに抽出）し、閲覧用操作端末に送信するものとしてもよい。例えば、表示制御部１４は、記憶部１１に記憶されている提供用画像データ各々に含まれている人の特徴量、提供用画像データ各々の撮影場所や撮影日時を取得し、それらを比較することで、上記グループ化を行う。
【００５６】
例えば、表示制御部１４は、「参照用画像データから検出された人が笑顔」である提供用画像データや、「参照用画像データから検出された人の顔が所定レベルより大きい」提供用画像データや、「参照用画像データから検出された人との類似度が所定以上である人を含む」提供用画像データを、上記絞込処理において優先的に抽出してもよい。
【００５７】
なお、笑顔の判定や、人の顔の大きさの判定は、上述した画像解析手段により行われる。その他の構成は、上述の通りである。
【００５８】
「変形例５」
記憶部１１は、１日毎に、所定の日数毎に、又は、所定の時間毎に、記憶している提供用画像データを削除する。例えば、施設の１日の営業が終了すると、記憶部１１は、その日に撮影、生成された提供用画像データをすべて削除してもよい。その他の構成は、上述の通りである。このようにすることで、来場者のプライベートな画像データが外部に漏れたり、他の用途で不正利用されたりするリスクを軽減できる。なお、提供用画像データを削除するのでなく、抽出部１３による抽出処理の対象から外す構成としてもよい。この場合、上述した顔認証とは異なる別途の認証がなければ画像の閲覧をできない構成としてもよい。
【００５９】
「変形例６」
情報処理システムは、生体検知（ライブネス検知）機能を備えても良い。より具体的には、情報処理システムは、参照用画像データに含まれる人が、実際に参照画像生成用カメラの前に位置し、撮影されたか否かを判断する手段を備える。これは、他人の顔を含む写真を参照画像生成用カメラに撮影させ、当該他人に関する提供用画像データを閲覧する行為を抑制するためのものである。
【００６０】
例えば、閲覧用層端末に３Ｄセンサ等を設け、そのセンシング結果を利用することで、参照用画像データに含まれる人が実際に参照画像生成用カメラの前に位置し、撮影されたか否かを判断できる。そして、情報処理システムは、参照用画像データに含まれる人が実際に参照画像生成用カメラの前に位置し、撮影されたと判断すると、当該参照用画像データを用いて、提供用画像データの抽出、画像の表示を行う。一方、情報処理システムは、参照用画像データに含まれる人が実際に参照画像生成用カメラの前に位置し、撮影されていないと判断すると、提供用画像データの抽出、画像の表示を行わない。情報処理システムは、３Ｄセンサ以外の生体検知技術を用いても良い。その他の構成は、上述の通りである。
【００６１】
「変形例７」
来場者は、自身の端末装置（例：ＰＣ（personal computer）、スマートフォン、タブレット等）を、施設内で撮影された画像（提供画像生成用カメラで撮影された画像）の閲覧等に利用する。
【００６２】
例えば、施設は、画像閲覧用のウェブサイトを予め用意しておく。そして、来場者は、自身の端末装置を操作して当該ウェブサイトを訪問し、当該ウェブサイト上で、自身の顔を含む参照用画像データを情報処理装置１０に送信する操作を行う。その他の構成は、上述の閲覧用操作端末を、来場者の自身の端末装置に置き代えて実現できる。
【００６３】
「変形例８」
情報処理システムは、施設内の任意の位置に設置される１つ又は複数の表示装置を有する。表示装置は、ディスプレイと、参照画像生成用カメラとを有する。閲覧用操作端末は、来場者による画像の閲覧、購入等を想定した端末である。これに対し、表示装置は、主に来場者に娯楽を提供することを想定した端末である。
【００６４】
図４に表示装置１００の一例を示す。表示装置１００の外観は、例えば鏡のようになっている。表示装置１００は、参照画像生成用カメラ１０１と、ディスプレイ１０２とを有する。参照画像生成用カメラ１０１は表示装置１００の前方領域を撮影する。
【００６５】
例えばアトラクションの待ち時間やすきま時間等に、来場者は、表示装置１００の前に位置する。すると、表示装置１００の参照画像生成用カメラ１０１はその来場者を撮影し、参照用画像データを生成して、情報処理装置１０に送信する。情報処理装置１０は、参照用画像データの取得に応じて、第１の実施形態で説明した提供用画像データの抽出処理を行う。そして、情報処理装置１０は、抽出した提供用画像データを表示装置１００に送信し、ディスプレイ１０２に画像を表示させる。
【００６６】
例えば、表示装置１００は、前方に人が位置しない間（所定条件を満たさない間）、参照画像生成用カメラ１０１により撮影された画像をリアルタイムにディスプレイ１０２に表示してもよい。そして、前方に人が位置した後所定時間経過すると（所定条件を満たすと）、情報処理装置１０より送信されてきた提供用画像データを用いて、ディスプレイ１０２に提供用画像を表示させてもよい。
【００６７】
その他、表示制御部１４は、表示装置１００の前方に人が位置しない間（所定条件を満たさない間）、表示装置１００を鏡として機能させてもよい。そして、前方に人が位置した後所定時間経過すると（所定条件を満たすと）、情報処理装置１０より送信されてきた提供用画像データを用いて、ディスプレイ１０２に提供用画像を表示させてもよい。当該表示は、例えば、ディスプレイ上に設けた層で外光に対する反射率を動的に調整したりするいわゆるミラーディスプレイを用いることで実現できる。
【００６８】
かかる場合、表示装置１００は、所定条件を満たさない間は、表示装置１００を鏡又は前方領域を映す鏡のように機能させ、所定条件を満たすと、その時点で鏡に映っている人のその日の思い出（その時までに施設内で撮影された画像）を映す魔法の鏡として機能する。所定条件は例えば、表示装置１００の前方に所定時間を越えて人が位置していることでも良い。なお、前方に人が位置するか否かは画像解析で判断してもよいし、人感センサ等を利用してもよい。
【００６９】
本実施形態の情報処理システムは、上述した複数の変形例の中の１つ又は複数を採用できる。
【００７０】
以上説明した本実施形態の情報処理システムによれば、施設内に設置された複数のカメラで生成された膨大な画像データの中から、各来場者に適した画像データ（画像解析により、各来場者を含むと判断された画像データ）を抽出し、提示できるようになる。
【００７１】
来場者は、膨大な画像の中から、自身が含まれる画像を探すという面倒な作業を行う必要がない。また、複数のカメラで多くの場面を撮影しているので、自身の好みの画像（例：笑顔で写っている画像、大きく写っている画像等）を見つけられる可能性が高くなる。結果、サービスの満足度を向上させることができる。
【００７２】
また、本実施形態の場合、来場者は事前に顔を登録する必要がない。このため、利便性が向上する。
【００７３】
また、変形例１、変形例２として説明したように、来場者は、検索条件（撮影場所、時間、キャラクター等）を指定し、検索条件に合った画像を閲覧することができる。検索条件をうまく設定することで、来場者は、自身の好みの画像を効率的に見つけることができる。
【００７４】
また、変形例３、変形例４として説明したように、ある来場者を含む提供用画像データが多い場合、来場者が好むと考えらえる画像を優先的に表示させたり、優先的に表示対象として抽出して数を絞り込んだりできる。結果、来場者は、自身の好みの画像を効率的に見つけることができる。
【００７５】
また、変形例５として説明したように、提供用画像データを蓄積しておくのでなく、１日単位で削除したり、検索対象から外したりすることで、来場者のプライベートな画像データが外部に漏れたり、他の用途で不正利用されたりするリスクを軽減できる。
【００７６】
また、変形例６として説明したように、情報処理システムは、参照用画像データに含まれる人が実際に参照画像生成用カメラの前に位置し、撮影されたか否かを判断し、判断結果に応じて、提供用画像データの抽出、画像の表示を行うか否かを切り替えることができる。結果、例えば有名人の写真を参照画像生成用カメラに撮影させ、その人に関する提供用画像データを閲覧する等の迷惑行為を抑制できる。
【００７７】
また、変形例７として説明したように、情報処理システムでは、閲覧用操作端末の代わりに、来場者自身の端末装置を利用できる。結果、来場者は、閲覧用操作端末の順番待ちを回避できる。また、施設から帰宅した後、自宅などでゆっくり画像を閲覧できる。
【００７８】
また、変形例８として説明したように、情報処理システムを、アトラクションの待ち間やすきま時間等に利用する娯楽設備として利用できる。このようなサービスにより、来場者の満足度は向上する。
【００７９】
＜第２の実施形態＞
施設の来場者数が増えるほど、参照用画像データに含まれる人を含む提供用画像データを抽出する精度が低くなる。結果、閲覧用操作端末により提供される画像の中に、閲覧用操作端末を操作する人を含まない画像（当該人に似た人を含む画像）が含まれてしまう可能性が高くなる。本実施形態の情報処理システムは、抽出精度を高める手段を有する。以下説明する。
【００８０】
情報処理システムは、第１の実施形態同様、複数の提供画像生成用カメラと、記憶手段と、１つ又は複数の閲覧用操作端末と、情報処理装置とを有する。提供画像生成用カメラ、記憶手段、閲覧用操作端末の構成は、第１の実施形態と同様である。また、情報処理システムは、第１の実施形態で説明した変形例を採用してもよい。
【００８１】
以下、情報処理装置１０の構成を説明する。情報処理装置１０のハードウエア構成は、第１の実施形態と同様である。
【００８２】
図２に情報処理装置１０の機能ブロック図の一例を示す。図示するように、情報処理装置１０は、記憶部１１と、取得部１２と、抽出部１３と、表示制御部１４とを有する。なお、情報処理装置１０は記憶部１１を有さなくてもよい。この場合、外部装置が記憶部１１を有し、情報処理装置１０から記憶部１１にアクセス可能に構成される。記憶部１１、取得部１２及び表示制御部１４の構成は、第１の実施形態と同様である。
【００８３】
抽出部１３は、参照用画像データの中に複数の人が含まれる場合、複数の人のうち少なくとも２人（例：複数の人すべて）を含む提供用画像データを抽出する。
【００８４】
なお、抽出部１３は、参照用画像データの中に複数の人がそれぞれ所定の大きさ以上（例：顔が所定の大きさ以上）で含まれる場合、所定の大きさ以上で参照用画像データに含まれる複数の人のうち少なくとも２人（例：複数の人すべて）を含む提供用画像データを抽出してもよい。
【００８５】
例えば、家族、カップル、友達グループ等集団で来場している場合、施設側は、一緒に来場した複数の人で同時に閲覧用操作端末の前に位置し、撮影してもらう案内を行う。そして、参照画像生成用カメラは、複数の人を同時に撮影し、複数の人を含む参照用画像データを生成する。
【００８６】
１人をキーとし、その人を含むと判断される提供用画像データを抽出する場合、十分な抽出精度が得られなくても、複数の人をキーとし、それらを含むと判断される提供用画像データを抽出することにより、抽出精度を向上させることができる。本実施形態によれば、このような工夫により、閲覧用操作端末により提供される画像の中に、閲覧用操作端末を操作する人を含まない画像（当該人に似た人を含む画像）が含まれる不都合を軽減する。
【００８７】
また、キーとする人を、参照用画像データの中に所定の大きさ以上（例：顔が所定の大きさ以上）で含まれる人に絞り込むことで、たまたま閲覧用操作端末の周辺にいた他のグループの人が画像に写り込んだ場合であっても、その人を除外して、抽出処理を行うことができる。
【００８８】
その他、抽出部１３は、参照用画像データに含まれる複数の人各々の間の距離（顔と顔との距離）に基づいて同じグループの人を判断し、同じグループに含まれる複数の人のうち少なくとも２人（例：複数の人すべて）を含む提供用画像データを抽出してもよい。この場合、距離が基準値以下の場合同じグループと判断する。例えば、抽出部１３は、参照用画像データに含まれる複数の人の中から代表を決定し、その代表との距離が基準値以下の人を同じグループと判断してもよい。そして、そのグループに含まれる複数の人のうち少なくとも２人（例：複数の人すべて）を含む提供用画像データを抽出してもよい。代表は、例えば、位置前側に位置する人であってもよいし、参照用画像データ内における顔が一番大きい人であってもよい。上記距離は、参照用画像データ内における２次元の距離であってもよい。
【００８９】
なお、本実施形態によれば、その他、第１の実施形態と同様の作用効果を実現できる。
【００９０】
＜第３の実施形態＞
本実施形態は、抽出精度を高める他の手段を有する。以下説明する。
【００９１】
情報処理システムは、第１及び第２の実施形態同様、複数の提供画像生成用カメラと、記憶手段と、１つ又は複数の閲覧用操作端末と、情報処理装置とを有する。提供画像生成用カメラ、記憶手段、閲覧用操作端末の構成は、以下で言及する点を除き、第１及び第２の実施形態と同様である。また、情報処理システムは、第１の実施形態で説明した変形例を採用してもよい。
【００９２】
以下、情報処理装置１０の構成を説明する。情報処理装置１０のハードウエア構成は、第１及び第２の実施形態と同様である。
【００９３】
図２に情報処理装置１０の機能ブロック図の一例を示す。図示するように、情報処理装置１０は、記憶部１１と、取得部１２と、抽出部１３と、表示制御部１４とを有する。なお、情報処理装置１０は記憶部１１を有さなくてもよい。この場合、外部装置が記憶部１１を有し、情報処理装置１０から記憶部１１にアクセス可能に構成される。記憶部１１、取得部１２及び表示制御部１４の構成は、第１及び第２の実施形態と同様である。
【００９４】
抽出部１３は、参照用画像データに含まれている特定の人についての施設内における位置情報と位置情報に対応する時間情報（以下、これらをまとめて「第１の情報」という場合がある）を取得する。第１の情報は、参照用画像データに含まれている人が各日時で施設内のどこにいたかを示す情報である。第１の情報は、日時と各日時において各人がいた位置とのペアの集合であってもよいし、動線情報であってもよい。
【００９５】
例えば、抽出部１３は、参照用画像データに含まれている人との類似度が所定レベル以上である人を含む提供用画像データの撮影日時及び撮影位置を、当該人の第１の情報として取得してもよい。類似度の所定レベルは、十分に高い閾値を設定することが好ましい。このようにすることで、参照用画像データに含まれている人そのもの（本人）を含んでいる可能性が十分に高い提供用画像データに基づき、当該人の第１の情報を生成することができる。
【００９６】
その他、来場者に識別情報を記憶した電子タグ又は携帯端末を所持させるとともに、施設内の複数箇所に当該電子タグ又は携帯端末と無線通信し、識別情報を取得する無線通信装置（リーダ）を設置しておいてもよい。そして、各無線通信装置が識別情報を収集した位置及び日時に基づき、識別情報毎の第１の情報を生成してもよい。また、閲覧用操作端末は、上記電子タグ又は携帯端末と無線通信する無線通信装置を備えてもよい。当該無線通信装置は、閲覧用操作端末の周辺（閲覧用操作端末を操作する人がいる場所）にいる人（参照用画像データに含まれている人）が所持する電子タグ又は携帯端末から識別情報を取得し、情報処理装置１０に送信してもよい。抽出部１３は、これらの情報に基づき、参照用画像データに含まれている人の第１の情報を取得してもよい。
【００９７】
そして、抽出部１３は、撮影日時及び撮影位置が上記第１の情報との関係において所定の条件を満たさない提供用画像データを、参照用画像データに含まれている人が含まれている画像として抽出する対象から除外する。
【００９８】
例えば、第１の情報で１１時００分にアトラクションＡにいたことが示されている場合、抽出部１３は、１１時００分に他の場所で撮影され、生成された提供用画像データを、抽出対象から除外する。
【００９９】
また、抽出部１３は、予め、複数のアトラクション間の通常到達時間（移動時間）を示す情報を保持しておいてもよい。そして、当該情報を利用して、抽出対象から除外する提供用画像データを決定してもよい。例えば、第１の情報で１１時００分にアトラクションＡにいたことが特定され、かつ、アトラクションＡからアトラクションＢへの通常到達時間が５分である場合、１０時５５分より後かつ１１時０５分より前にアトラクションＢで撮影され、生成された提供用画像データを、抽出対象から除外する。
【０１００】
その他、抽出部１３は、参照用画像データに含まれる人との類似度が基準以上の人を含む提供用画像データの撮影場所及び撮影日時を基準にし、その撮影日時でその撮影場所にいた人が通常到達時間以下で到達し得ない場所及び撮影日時で生成された提供用画像データを、抽出対象から除外してもよい。
【０１０１】
本実施形態によれば、第１の実施形態と同様の作用効果を実現できる。また、本実施形態によれば、参照用画像データに含まれている人を含む提供用画像データを抽出する精度を高めることができる。
【０１０２】
なお、電子タグは、来場者にその場で渡してもよい。その他、年間パス等に電子タグを埋め込んでおいてもよい。また、携帯端末は所定のアプリをインストールしたスマートフォンやタブレット等であってもよい。
【０１０３】
＜第４の実施形態＞
本実施形態は、抽出精度を高める他の手段を有する。以下説明する。
【０１０４】
情報処理システムは、第１乃至第３の実施形態同様、複数の提供画像生成用カメラと、記憶手段と、１つ又は複数の閲覧用操作端末と、情報処理装置とを有する。提供画像生成用カメラ、記憶手段、閲覧用操作端末の構成は、以下で言及する点を除き、第１乃至第３の実施形態と同様である。また、情報処理システムは、第１の実施形態で説明した変形例を採用してもよい。
【０１０５】
以下、情報処理装置１０の構成を説明する。情報処理装置１０のハードウエア構成は、第１乃至第３の実施形態と同様である。
【０１０６】
図２に情報処理装置１０の機能ブロック図の一例を示す。図示するように、情報処理装置１０は、記憶部１１と、取得部１２と、抽出部１３と、表示制御部１４とを有する。なお、情報処理装置１０は記憶部１１を有さなくてもよい。この場合、外部装置が記憶部１１を有し、情報処理装置１０から記憶部１１にアクセス可能に構成される。記憶部１１、取得部１２及び表示制御部１４の構成は、第１乃至第３の実施形態と同様である。
【０１０７】
本実施形態では、来場者に、識別情報を記憶した電子タグ又は携帯端末を所持させる。そして、当該電子タグ又は携帯端末と無線通信し、識別情報を取得する無線通信装置（リーダ）を、複数の提供画像生成用カメラ各々の周辺（提供画像生成用カメラで撮影される人が所持する電子タグ又は携帯端末と無線通信可能な場所）、及び、１つ又は複数の閲覧用操作端末各々の周辺（閲覧用操作端末を操作する人が所持する電子タグ又は携帯端末と無線通信可能な場所）に設置する。なお、第３の実施形態で説明したように、上記第１の情報を取得するため、施設内に無線通信装置を点在させてもよい。
【０１０８】
提供画像生成用カメラの周辺に設置された無線通信装置（第１の無線通信装置）は、提供画像生成用カメラにより撮影された日時又はそれに近い日時で位置関係が所定条件（互いに通信可能な位置関係）を満たす１つ又は複数の電子タグ又は携帯端末と無線通信し、電子タグ又は携帯端末に記憶されている識別情報を取得する。
【０１０９】
なお、第１の無線通信装置は、提供画像生成用カメラにより撮影されるエリア内に位置する来場者に所持されている電子タグ又は携帯端末と通信できるように設置されるのが好ましい。
【０１１０】
例えば、提供画像生成用カメラが撮影すると、その旨を示す情報が第１の無線通信装置に入力されてもよい。そして、第１の無線通信装置は、撮影をトリガとして、位置関係が所定条件（互いに通信可能な位置関係）を満たす１つ又は複数の電子タグ又は携帯端末と無線通信し、電子タグ又は携帯端末に記憶されている識別情報を取得してもよい。
【０１１１】
なお、第１の無線通信装置は、位置関係が所定条件（互いに通信可能な位置関係）を満たす１つ又は複数の電子タグ又は携帯端末と無線通信し、電子タグ又は携帯端末に記憶されている識別情報を取得すると、その旨を示す情報を提供画像生成用カメラに送信してもよい。そして、提供画像生成用カメラは、識別情報の取得を示す情報の受信をトリガとして、撮影を行ってもよい。
【０１１２】
その他、第１の無線通信装置は所定時間毎に連続的に位置関係が所定条件（互いに通信可能な位置関係）を満たす１つ又は複数の電子タグ又は携帯端末と無線通信し、電子タグ又は携帯端末から取得した各識別情報を、取得の日時に対応付けて記憶してもよい。そして、撮影日時及び識別情報取得日時が同じ又は近い（例：最も近い、所定時間以内）提供用画像データ及び識別情報を、互いに対応付けてもよい。
【０１１３】
記憶部１１は、複数の提供用画像データ各々に、各提供用画像データを生成した日時（撮影日時）又はそれに近い日時で第１の無線通信装置により取得された１つ又は複数の識別情報を対応付けて記憶する。
【０１１４】
図５に、記憶部１１が記憶する情報の一例を模式的に示す。提供用画像データＩＤ（identifier）と、各提供用画像データから抽出された１つ又は複数の顔特徴量（検出された人を含む領域の画像から抽出された特徴量）と、各提供用画像データを生成した日時（撮影日時）又はそれに近い日時で第１の無線通信装置により取得された１つ又は複数の識別情報とを対応付けている。図示しないが、その他、撮影日時、撮影位置、画像内に含まれるキャラクター等の情報を対応付けてもよい。
【０１１５】
参照画像生成用カメラの周辺に設置された第２の無線通信装置は、参照画像生成用カメラが来場者を撮影した日時又はそれに近い日時で位置関係が所定条件（互いに通信可能な位置関係）を満たす１つ又は複数の電子タグ又は携帯端末と無線通信し、電子タグ又は携帯端末に記憶されている識別情報を取得する。
【０１１６】
なお、第２無線通信装置は、閲覧用操作端末を操作する来場者に所持されている電子タグ又は携帯端末と通信できるように設置されるのが好ましい。
【０１１７】
例えば、参照画像生成用カメラが撮影すると、その旨を示す情報が第２の無線通信装置に入力されてもよい。そして、第２の無線通信装置は、撮影をトリガとして、位置関係が所定条件（互いに通信可能な位置関係）を満たす１つ又は複数の電子タグ又は携帯端末と無線通信し、電子タグ又は携帯端末に記憶されている識別情報を取得してもよい。
【０１１８】
なお、第２の無線通信装置は、位置関係が所定条件（互いに通信可能な位置関係）を満たす１つ又は複数の電子タグ又は携帯端末と無線通信し、電子タグ又は携帯端末に記憶されている識別情報を取得すると、その旨を示す情報を参照画像生成用カメラに送信してもよい。そして、参照画像生成用カメラは、識別情報の取得を示す情報の受信をトリガとして、撮影を行ってもよい。
【０１１９】
その他、第２の無線通信装置は所定時間毎に連続的に各日時で位置関係が所定条件（互いに通信可能な位置関係）を満たす１つ又は複数の電子タグ又は携帯端末と無線通信し、電子タグ又は携帯端末から取得した識別情報を、各日時に対応付けて記憶してもよい。そして、撮影日時及び識別情報取得日時が近い（例：最も近い）参照画像生成用カメラ及び識別情報を、互いに対応付けてもよい。
【０１２０】
閲覧用操作端末は、参照用画像データと、当該参照用画像データを生成した日時（撮影日時）又はそれに近い日時で第２の無線通信装置により取得された１つ又は複数の識別情報とを対応付けて、情報処理装置１０に送信する。
【０１２１】
取得部１２は、参照用画像データと、当該参照用画像データを生成した日時（撮影日時）又はそれに近い日時で第２の無線通信装置により取得された１つ又は複数の識別情報とを取得する。
【０１２２】
抽出部１３は、参照用画像データに含まれている人を含むとともに、取得部１２により取得された識別情報（第２の無線通信装置により取得された識別情報）を対応付けられている提供用画像データを抽出する。例えば、抽出部１３は、参照用画像データに含まれている人の特徴量と記憶部１１に記憶されている提供用画像データ各々に含まれている人の特徴量とを照合し、かつ、取得部１２により取得された識別情報と記憶部１１に記憶されている提供用画像データ各々に対応付けられた識別情報とを照合し、上記抽出を行う。
【０１２３】
なお、抽出部１３は、取得部１２により取得された識別情報を対応付けられている提供用画像データを抽出し、その中から、参照用画像データに含まれている人を含む提供用画像データを抽出してもよい。識別情報をキーとした抽出処理の方が、特徴量をキーとして抽出処理よりもコンピュータの処理負担が軽い。識別情報で絞り込んでから特徴量を利用した検索を行うように構成することで、特徴量を利用した検索の対象となる提供用画像データの数を減らすことができる。このため、識別情報で絞り込んでから特徴量を利用した検索を行う方が、特徴量で絞り込んでから識別情報を利用した検索を行う場合に比べて、コンピュータの処理負担を軽減できる。
【０１２４】
また、抽出部１３は、参照用画像データの中にＭ人（Ｍは１以上）の人が含まれ、かつ、取得部１２によりＮ（Ｎは１以上）個の識別情報が取得された場合、Ｍ人の中の少なくとも１人を含み、かつ、Ｎ個の識別情報の中の少なくとも１つを対応付けられている提供用画像データを抽出する。
【０１２５】
なお、抽出部１３は、参照用画像データの中に複数の人がそれぞれ所定の大きさ以上（例：顔が所定の大きさ以上）で含まれ、かつ、取得部１２によりＮ（Ｎは１以上）個の識別情報が取得された場合、所定の大きさ以上で参照用画像データに含まれる複数の人すべてを含み、かつ、Ｎ個の識別情報の中の少なくとも１つに対応付けられている提供用画像データを抽出してもよい。
【０１２６】
本実施形態によれば、第１の実施形態と同様の作用効果を実現できる。また、本実施形態によれば、顔の特徴量と、撮影位置付近で取得した識別情報（タグ情報）とを組み合わせたキーを利用して、参照用画像データに含まれている人を含む提供用画像データを抽出することができる。このため、抽出の精度を高めることができる。
【０１２７】
なお、電子タグは、来場者にその場で渡してもよい。その他、年間パス等に電子タグを埋め込んでおいてもよい。また、携帯端末は所定のアプリをインストールしたスマートフォンやタブレット等であってもよい。
【０１２８】
＜第５の実施形態＞
本実施形態の情報処理装置１０は、第１乃至第４の実施形態と同様の抽出処理を実行する。本実施形態の情報処理システムは、テーマパーク、客船等の多数の人が集まる娯楽施設での利用に限定されない点で、第１乃至第４の実施形態と異なる。
【０１２９】
本実施形態の情報処理装置１０のハードウエア構成は、第１乃至第４の実施形態と同様である。
【０１３０】
図７に、本実施形態の情報処理装置１０の機能ブロック図の一例を示す。図示するように、情報処理装置１０は、取得部１２と、抽出部１３とを有する。なお、図示しないが、情報処理装置１０は、記憶部１１をさらに有してもよい。記憶部１１を有さない場合、外部装置が記憶部１１を有し、情報処理装置１０から記憶部１１にアクセス可能に構成される。また、情報処理装置１０は表示制御部１４を有してもよい。
【０１３１】
取得部１２は、第１のカメラにより生成された第１の画像データ（第１の画像）を、１つ又は複数の識別情報に対応付けて取得する。１つ又は複数の識別情報は、第１のカメラの周辺（第１のカメラで撮影される人が所持する電子タグ又は携帯端末と無線通信可能な場所）に設置され、位置関係が所定条件を満たす１つ又は複数の電子タグ又は携帯端末と無線通信し、１つ又は複数の電子タグ又は携帯端末から識別情報を取得する無線通信装置により取得された情報である。
【０１３２】
記憶部１１は、複数の第２のカメラにより生成された第２の画像データ（第２の画像）を、１つ又は複数の識別情報に対応付けて記憶する。１つ又は複数の識別情報は、複数の第２のカメラ各々の周辺（第２のカメラで撮影される人が所持する電子タグ又は携帯端末と無線通信可能な場所）に設置され、位置関係が所定条件を満たす１つ又は複数の電子タグ又は携帯端末と無線通信し、１つ又は複数の電子タグ又は携帯端末から識別情報を取得する無線通信装置により取得された情報である。
【０１３３】
抽出部１３は、第１の画像データに含まれている人を含むとともに、取得部１２により取得された識別情報を対応付けられている第２の画像データを、記憶部１１から抽出する。
【０１３４】
また、抽出部１３は、第１の画像データの中にＭ人（Ｍは１以上）の人が含まれ、かつ、取得部１２によりＮ（Ｎは１以上）個の識別情報が取得された場合、Ｍ人の中の少なくとも１人を含み、かつ、Ｎ個の識別情報の中の少なくとも１つを対応付けられている第２の画像データを抽出してもよい。
【０１３５】
なお、抽出部１３は、第１の画像データの中に複数の人が所定の大きさ以上（例：顔が所定の大きさ以上）で含まれかつ、取得部１２によりＮ（Ｎは１以上）個の識別情報が取得された場合、所定の大きさ以上の複数の人すべてを含み、かつ、Ｎ個の識別情報の中の少なくとも１つを対応付けられている第２の画像データを抽出してもよい。
【０１３６】
なお、抽出部１３は、第１の画像データに対応付けられている識別情報をキーとして検索処理を行った後、第１の画像データの特徴量をキーとした検索処理を行ってもよい。識別情報をキーとした抽出処理の方が、特徴量をキーとして抽出処理よりもコンピュータの処理負担が軽い。識別情報で絞り込んでから特徴量を利用した検索を行うように構成することで、特徴量を利用した検索の対象となる第２の画像データの数を減らすことができる。このため、識別情報で絞り込んでから特徴量を利用した検索を行う方が、特徴量で絞り込んでから識別情報を利用した検索を行う場合に比べて、コンピュータの処理負担を軽減できる。
【０１３７】
記憶部１１、取得部１２、抽出部１３及び表示制御部１４のその他の構成は、第１乃至第４の実施形態と同様とすることができる。
【０１３８】
次に、図８のフローチャートを用いて、本実施形態の情報処理装置１０の処理の流れの一例を説明する。
【０１３９】
Ｓ２０では、取得部１２は、第１のカメラにより生成された第１の画像を、第１のカメラの周辺に設置され、位置関係が所定条件を満たす１つ又は複数の電子タグ又は携帯端末から識別情報を取得する無線通信装置により取得された１つ又は複数の識別情報に対応付けて取得する。
【０１４０】
Ｓ２１では、抽出部１３は、記憶部１１から所定の第２の画像を抽出する。記憶部１１は、複数の第２のカメラにより生成された第２の画像を、複数の第２のカメラ各々の周辺に設置され、位置関係が所定条件を満たす１つ又は複数の電子タグ又は携帯端末から識別情報を取得する無線通信装置により取得された１つ又は複数の識別情報に対応付けて記憶している。抽出部１３は、記憶部１１から、第１の画像に含まれている人を含むとともに、取得部１２により取得された識別情報を対応付けられている第２の画像を抽出する。
【０１４１】
本実施形態によれば、第１の画像データに含まれている人を含む第２の画像データを、高精度に抽出することができる。
【０１４２】
以下、参考形態の例を付記する。
１．  参照用画像を取得する取得手段と、
施設内に設置された複数の提供画像生成用カメラにより生成された提供用画像を記憶する記憶手段から、前記参照用画像に含まれている人を含む前記提供用画像を抽出する抽出手段と、
前記抽出手段により抽出された前記提供用画像をディスプレイに表示させる表示制御手段と、
を有する情報処理装置。
２．  １に記載の情報処理装置において、
前記抽出手段は、前記参照用画像に複数の人が含まれる場合、前記複数の人のうち少なくとも２人を含む前記提供用画像を抽出する情報処理装置。
３．  ２に記載の情報処理装置において、
前記抽出手段は、前記参照用画像に複数の人がそれぞれ所定の大きさ以上で含まれる場合、前記所定の大きさ以上で前記参照用画像に含まれる複数の人のうち少なくとも２人を含む前記提供用画像を抽出する情報処理装置。
４．  １から３のいずれかに記載の情報処理装置において、
前記取得手段は、前記ディスプレイの周辺を撮影する参照画像生成用カメラにより生成された画像を、前記参照用画像として取得する情報処理装置。
５．  ４に記載の情報処理装置において、
前記表示制御手段は、
所定条件を満たさない間、前記参照画像生成用カメラで撮影された画像を前記ディスプレイに表示させるか、又は、前記ディスプレイを含む表示装置を鏡として機能させ、
前記所定条件を満たすと、前記抽出手段により抽出された前記提供用画像を前記ディスプレイに表示させる情報処理装置。
６．  １から５のいずれかに記載の情報処理装置において、
前記記憶手段は、前記提供用画像を撮影日時及び撮影位置と対応付けて記憶し、
前記抽出手段は、
前記提供用画像に含まれる特定の人についての前記施設内における位置情報と前記位置情報に対応する時間情報とを取得し、
撮影日時及び撮影位置が前記位置情報及び前記時間情報との関係において所定の条件を満たさない場合、前記提供用画像を、前記特定の人が含まれている画像として抽出する対象から除外する情報処理装置。
７．  ６に記載の情報処理装置において、
前記抽出手段は、前記参照用画像に含まれている前記特定の人との類似度が所定の値以上である人を含む前記提供用画像の撮影日時及び撮影位置を、当該特定の人についての前記位置情報及び前記時間情報として取得する情報処理装置。
８．  １から７のいずれかに記載の情報処理装置において、
前記記憶手段は、
複数の前記提供画像生成用カメラ各々の周辺に設置され、位置関係が所定条件を満たす１つ又は複数の電子タグ又は携帯端末から識別情報を取得する無線通信装置により取得された１つ又は複数の前記識別情報を、前記識別情報が取得された日時から所定時間内に生成された前記提供用画像と対応付けて記憶し、
前記取得手段は、
前記ディスプレイの周辺を撮影する参照画像生成用カメラにより生成された画像を前記参照用画像として取得するとともに、
前記参照画像生成用カメラの周辺に設置され、位置関係が所定条件を満たす１つ又は複数の前記電子タグ又は携帯端末から前記識別情報を取得する無線通信装置により取得された１つ又は複数の前記識別情報を取得し、
前記抽出手段は、
前記参照用画像に含まれている人を含むとともに、前記取得手段により取得された前記識別情報に対応付けられている前記提供用画像を抽出する情報処理装置。
９．  ８に記載の情報処理装置において、
前記抽出手段は、
前記参照用画像の中にＭ人（Ｍは１以上）の人が含まれ、かつ、前記取得手段によりＮ（Ｎは１以上）個の前記識別情報が取得された場合、前記Ｍ人の中の少なくとも１人を含み、かつ、前記Ｎ個の前記識別情報の中の少なくとも１つに対応付けられている前記提供用画像を抽出する情報処理装置。
１０．  ９に記載の情報処理装置において、
前記抽出手段は、
前記参照用画像に複数の人が所定の大きさ以上で含まれ、かつ、前記取得手段によりＮ（Ｎは１以上）個の前記識別情報が取得された場合、前記参照用画像に前記所定の大きさ以上で含まれる複数の人すべてを含み、かつ、前記Ｎ個の前記識別情報の中の少なくとも１つに対応付けられている前記提供用画像を抽出する情報処理装置。
１１．  第１のカメラにより生成された第１の画像を、前記第１のカメラの周辺に設置され、位置関係が所定条件を満たす１つ又は複数の電子タグ又は携帯端末から識別情報を取得する無線通信装置により取得された１つ又は複数の前記識別情報に対応付けて取得する取得手段と、
複数の第２のカメラにより生成された第２の画像を、複数の前記第２のカメラ各々の周辺に設置され、位置関係が所定条件を満たす１つ又は複数の前記電子タグ又は携帯端末から前記識別情報を取得する無線通信装置により取得された１つ又は複数の前記識別情報に対応付けて記憶する記憶手段から、前記第１の画像に含まれている人を含むとともに、前記取得手段により取得された前記識別情報を対応付けられている前記第２の画像を抽出する抽出手段と、
を有する情報処理装置。
１２．  １１に記載の情報処理装置において、
前記抽出手段は、
前記第１の画像の中にＭ人（Ｍは１以上）の人が含まれ、かつ、前記取得手段によりＮ（Ｎは１以上）個の前記識別情報が取得された場合、前記Ｍ人の中の少なくとも１人を含み、かつ、前記Ｎ個の前記識別情報の中の少なくとも１つに対応付けられている前記第２の画像を抽出する情報処理装置。
１３．  １２に記載の情報処理装置において、
前記抽出手段は、
前記第１の画像の中に複数の人が所定の大きさ以上で含まれ、かつ、前記取得手段によりＮ（Ｎは１以上）個の前記識別情報が取得された場合、前記第１の画像に前記所定の大きさ以上で含まれる複数の人すべてを含み、かつ、前記Ｎ個の前記識別情報の中の少なくとも１つに対応付けられている前記第２の画像を抽出する情報処理装置。
１４．  コンピュータが、
参照用画像を取得する取得工程と、
施設内に設置された複数の提供画像生成用カメラにより生成された提供用画像を記憶する記憶手段から、前記参照用画像に含まれている人を含む前記提供用画像を抽出する抽出工程と、
前記抽出工程で抽出された前記提供用画像をディスプレイに表示させる表示制御工程と、
を実行する情報処理方法。
１５．  コンピュータを、
参照用画像を取得する取得手段、
施設内に設置された複数の提供画像生成用カメラにより生成された提供用画像を記憶する記憶手段から、前記参照用画像に含まれている人を含む前記提供用画像を抽出する抽出手段、
前記抽出手段により抽出された前記提供用画像をディスプレイに表示させる表示制御手段、
として機能させるプログラム。
１６．  コンピュータが、
第１のカメラにより生成された第１の画像を、前記第１のカメラの周辺に設置され、位置関係が所定条件を満たす１つ又は複数の電子タグ又は携帯端末から識別情報を取得する無線通信装置により取得された１つ又は複数の前記識別情報に対応付けて取得する取得工程と、
複数の第２のカメラにより生成された第２の画像を、複数の前記第２のカメラ各々の周辺に設置され、位置関係が所定条件を満たす１つ又は複数の前記電子タグ又は携帯端末から前記識別情報を取得する無線通信装置により取得された１つ又は複数の前記識別情報に対応付けて記憶する記憶手段から、前記第１の画像に含まれている人を含むとともに、前記取得工程で取得された前記識別情報を対応付けられている前記第２の画像を抽出する抽出工程と、
を実行する情報処理方法。
１７．  コンピュータを、
第１のカメラにより生成された第１の画像を、前記第１のカメラの周辺に設置され、位置関係が所定条件を満たす１つ又は複数の電子タグ又は携帯端末から識別情報を取得する無線通信装置により取得された１つ又は複数の前記識別情報に対応付けて取得する取得手段、
複数の第２のカメラにより生成された第２の画像を、複数の前記第２のカメラ各々の周辺に設置され、位置関係が所定条件を満たす１つ又は複数の前記電子タグ又は携帯端末から前記識別情報を取得する無線通信装置により取得された１つ又は複数の前記識別情報に対応付けて記憶する記憶手段から、前記第１の画像に含まれている人を含むとともに、前記取得手段により取得された前記識別情報を対応付けられている前記第２の画像を抽出する抽出手段、
として機能させるプログラム。
【０１４３】
この出願は、２０１７年６月２２日に出願された日本出願特願２０１７−１２２５００号を基礎とする優先権を主張し、その開示の全てをここに取り込む。
【図１】
2018235318.tif 000003
【図２】
2018235318.tif 000004
【図３】
2018235318.tif 000005
【図４】
2018235318.tif 000006
【図５】
2018235318.tif 000007
【図６】
2018235318.tif 000008
【図７】
2018235318.tif 000009
【図８】
2018235318.tif 000010
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
参照用画像を取得する取得手段と、
施設内に設置された複数の提供画像生成用カメラにより生成された提供用画像を記憶する記憶手段と、
前記提供用画像に含まる顔画像と、前記参照用画像に含まれる顔画像とを照合し、照合結果に基づいて、前記記憶手段から、前記参照用画像に含まれている人を含む前記提供用画像を抽出する抽出手段と、
前記抽出手段により抽出された前記提供用画像をディスプレイに表示させる表示制御手段と、
を有する情報処理装置。
【請求項２】
請求項１に記載の情報処理装置において、
前記抽出手段は、前記参照用画像に複数の人が含まれる場合、前記複数の人のうち少なくとも２人を含む前記提供用画像を抽出する情報処理装置。
【請求項３】
請求項２に記載の情報処理装置において、
前記抽出手段は、前記参照用画像に複数の人がそれぞれ所定の大きさ以上で含まれる場合、前記所定の大きさ以上で前記参照用画像に含まれる複数の人のうち少なくとも２人を含む前記提供用画像を抽出する情報処理装置。
【請求項４】
請求項１から３のいずれか１項に記載の情報処理装置において、
前記取得手段は、前記ディスプレイの周辺を撮影する参照画像生成用カメラにより生成された画像を、前記参照用画像として取得する情報処理装置。
【請求項５】
請求項４に記載の情報処理装置において、
前記表示制御手段は、
所定条件を満たさない間、前記参照画像生成用カメラで撮影された画像を前記ディスプレイに表示させるか、又は、前記ディスプレイを含む表示装置を鏡として機能させ、
前記所定条件を満たすと、前記抽出手段により抽出された前記提供用画像を前記ディスプレイに表示させる情報処理装置。
【請求項６】
請求項１から５のいずれか１項に記載の情報処理装置において、
前記記憶手段は、前記提供用画像を撮影日時及び撮影位置と対応付けて記憶し、
前記抽出手段は、
前記提供用画像に含まれる特定の人についての前記施設内における位置情報と前記位置情報に対応する時間情報とを取得し、
撮影日時及び撮影位置が前記位置情報及び前記時間情報との関係において所定の条件を満たさない場合、前記提供用画像を、前記特定の人が含まれている画像として抽出する対象から除外する情報処理装置。
【請求項７】
請求項６に記載の情報処理装置において、
前記抽出手段は、前記参照用画像に含まれている前記特定の人との類似度が所定の値以上である人を含む前記提供用画像の撮影日時及び撮影位置を、当該特定の人についての前記位置情報及び前記時間情報として取得する情報処理装置。
【請求項８】
請求項１から７のいずれか１項に記載の情報処理装置において、
前記記憶手段は、
複数の前記提供画像生成用カメラ各々の周辺に設置され、位置関係が所定条件を満たす１つ又は複数の電子タグ又は携帯端末から識別情報を取得する無線通信装置により取得された１つ又は複数の前記識別情報を、前記識別情報が取得された日時から所定時間内に生成された前記提供用画像と対応付けて記憶し、
前記取得手段は、
前記ディスプレイの周辺を撮影する参照画像生成用カメラにより生成された画像を前記参照用画像として取得するとともに、
前記参照画像生成用カメラの周辺に設置され、位置関係が所定条件を満たす１つ又は複数の前記電子タグ又は携帯端末から前記識別情報を取得する無線通信装置により取得された１つ又は複数の前記識別情報を取得し、
前記抽出手段は、
前記参照用画像に含まれている人を含むとともに、前記取得手段により取得された前記識別情報に対応付けられている前記提供用画像を抽出する情報処理装置。
【請求項９】
請求項８に記載の情報処理装置において、
前記抽出手段は、
前記参照用画像の中にＭ人（Ｍは１以上）の人が含まれ、かつ、前記取得手段によりＮ（Ｎは１以上）個の前記識別情報が取得された場合、前記Ｍ人の中の少なくとも１人を含み、かつ、前記Ｎ個の前記識別情報の中の少なくとも１つに対応付けられている前記提供用画像を抽出する情報処理装置。
【請求項１０】
請求項９に記載の情報処理装置において、
前記抽出手段は、
前記参照用画像に複数の人が所定の大きさ以上で含まれ、かつ、前記取得手段によりＮ（Ｎは１以上）個の前記識別情報が取得された場合、前記参照用画像に前記所定の大きさ以上で含まれる複数の人すべてを含み、かつ、前記Ｎ個の前記識別情報の中の少なくとも１つに対応付けられている前記提供用画像を抽出する情報処理装置。
【請求項１１】
第１のカメラにより生成された第１の画像を、前記第１のカメラの周辺に設置され、位置関係が所定条件を満たす１つ又は複数の電子タグ又は携帯端末から識別情報を取得する無線通信装置により取得された１つ又は複数の前記識別情報に対応付けて取得する取得手段と、
複数の第２のカメラにより生成された第２の画像を、複数の前記第２のカメラ各々の周辺に設置され、位置関係が所定条件を満たす１つ又は複数の前記電子タグ又は携帯端末から前記識別情報を取得する無線通信装置により取得された１つ又は複数の前記識別情報に対応付けて記憶する記憶手段から、前記第１の画像に含まれている人を含むとともに、前記取得手段により取得された前記識別情報を対応付けられている前記第２の画像を抽出する抽出手段と、
を有する情報処理装置。
【請求項１２】
請求項１１に記載の情報処理装置において、
前記抽出手段は、
前記第１の画像の中にＭ人（Ｍは１以上）の人が含まれ、かつ、前記取得手段によりＮ（Ｎは１以上）個の前記識別情報が取得された場合、前記Ｍ人の中の少なくとも１人を含み、かつ、前記Ｎ個の前記識別情報の中の少なくとも１つに対応付けられている前記第２の画像を抽出する情報処理装置。
【請求項１３】
請求項１２に記載の情報処理装置において、
前記抽出手段は、
前記第１の画像の中に複数の人が所定の大きさ以上で含まれ、かつ、前記取得手段によりＮ（Ｎは１以上）個の前記識別情報が取得された場合、前記第１の画像に前記所定の大きさ以上で含まれる複数の人すべてを含み、かつ、前記Ｎ個の前記識別情報の中の少なくとも１つに対応付けられている前記第２の画像を抽出する情報処理装置。
【請求項１４】
コンピュータが、
施設内に設置された複数の提供画像生成用カメラにより生成された提供用画像を記憶しておき、
参照用画像を取得する取得工程と、
前記提供用画像に含まる顔画像と、前記参照用画像に含まれる顔画像とを照合し、照合結果に基づいて、前記参照用画像に含まれている人を含む前記提供用画像を抽出する抽出工程と、
前記抽出工程で抽出された前記提供用画像をディスプレイに表示させる表示制御工程と、
を実行する情報処理方法。
【請求項１５】
コンピュータを、
参照用画像を取得する取得手段、
施設内に設置された複数の提供画像生成用カメラにより生成された提供用画像を記憶する記憶手段、
前記提供用画像に含まる顔画像と、前記参照用画像に含まれる顔画像とを照合し、照合結果に基づいて、前記記憶手段から、前記参照用画像に含まれている人を含む前記提供用画像を抽出する抽出手段、
前記抽出手段により抽出された前記提供用画像をディスプレイに表示させる表示制御手段、
として機能させるプログラム。
【請求項１６】
コンピュータが、
第１のカメラにより生成された第１の画像を、前記第１のカメラの周辺に設置され、位置関係が所定条件を満たす１つ又は複数の電子タグ又は携帯端末から識別情報を取得する無線通信装置により取得された１つ又は複数の前記識別情報に対応付けて取得する取得工程と、
複数の第２のカメラにより生成された第２の画像を、複数の前記第２のカメラ各々の周辺に設置され、位置関係が所定条件を満たす１つ又は複数の前記電子タグ又は携帯端末から前記識別情報を取得する無線通信装置により取得された１つ又は複数の前記識別情報に対応付けて記憶する記憶手段から、前記第１の画像に含まれている人を含むとともに、前記取得工程で取得された前記識別情報を対応付けられている前記第２の画像を抽出する抽出工程と、
を実行する情報処理方法。
【請求項１７】
コンピュータを、
第１のカメラにより生成された第１の画像を、前記第１のカメラの周辺に設置され、位置関係が所定条件を満たす１つ又は複数の電子タグ又は携帯端末から識別情報を取得する無線通信装置により取得された１つ又は複数の前記識別情報に対応付けて取得する取得手段、
複数の第２のカメラにより生成された第２の画像を、複数の前記第２のカメラ各々の周辺に設置され、位置関係が所定条件を満たす１つ又は複数の前記電子タグ又は携帯端末から前記識別情報を取得する無線通信装置により取得された１つ又は複数の前記識別情報に対応付けて記憶する記憶手段から、前記第１の画像に含まれている人を含むとともに、前記取得手段により取得された前記識別情報を対応付けられている前記第２の画像を抽出する抽出手段、
として機能させるプログラム。
【国際調査報告】
2018235318.tif 000011
2018235318.tif 000012
2018235318.tif 000013
2018235318.tif 000014